(57)【要約】【課題】電子機器の充電器において、充電器の上側ケースと下側ケースとの突合わせ面に隙間が生じるのを防止する。【解決手段】充電器ケースを上側ケースと下側ケースとで構成し、上側ケースには、充電端子突出口と操作釦突出口とを形成し、充電器ケース内に、充電端子が上側ケースの充電端子突出口に向けて突出方向にバネ付勢されて備え、充電端子突出方向のバネ付勢に対抗してスライドレバーの先端がこの充電端子を充電器ケース内に押し込む方向にスライドレバーを略水平方向にバネ付勢して備え、上側ケースの操作釦突出口から突出している操作釦を押圧し、スライドレバーを略水平方向に後退させると、充電端子の押し込み力が解除され、充電端子の先端部が上側ケースの充電端子突出口外側に突出するようにし、上側ケースと下側ケースとが上下に開く方向の作用力が生じないようにした。【選択図】  図２
2005278252.tif 000002
【特許請求の範囲】
【請求項１】
電子機器の充電器において、充電器ケースを上側ケースと下側ケースとで構成し、上側ケースには、充電端子突出口と操作釦突出口とを形成し、充電器ケース内に、充電端子が上側ケースの充電端子突出口に向けて突出方向にバネ付勢されて備え、充電端子突出方向のバネ付勢に対抗してスライドレバーの先端がこの充電端子を充電器ケース内に押し込む方向にスライドレバーを略水平方向にバネ付勢して備え、上側ケースの操作釦突出口から突出している操作釦を押圧し、スライドレバーを略水平方向に後退させると、充電端子の押し込み力が解除され、充電端子の先端部が上側ケースの充電端子突出口外側に突出するようにし、上側ケースと下側ケースとが上下に開く方向の作用力が生じないようにしたことを特徴とする充電器。
【請求項２】
操作釦が、突出部と、突出部より下方向にフック部とを備え、突出部の上下動作がフック部の横方向動作に変換するように回動軸を設けて充電器ケース内に軸支し、フック部の横方向動作にスライドレバーの略水平方向の動きを連動させたことを特徴とする請求項１記載の充電器。
【発明の詳細な説明】
【技術分野】
【０００１】
本発明は、携帯電話機等の電子機器用の充電器に係る。
【背景技術】
【０００２】
従来の携帯電話機用充電器としては、図４に示す構造例がある。
充電器の上側ケース１１１と下側ケース１１４とで形成した充電器ケース内に、シーソーレバー１４０を取り付け、回転軸１３３を支点にして操作釦１３０と充電端子１２１の押圧部１４１をシーソー状に構成したものである。。
図４（イ）に示すように、携帯電話機の未装着時（充電しないとき）には充電端子１２１を押圧部１４１で押圧することでケース１１１内に収納させ、充電時には図４（ロ）に示すように電話機のケース等にて操作釦１３０が下方向に押圧され、押圧部１４１が上昇して充電端子１２１の押圧を解除する。
充電端子の押圧力が解除されると、充電端子が上昇方向にバネ付勢１２０されているので上側ケースから外側に突出して電話機の受電端子に当接する。
しかし、上側ケース１１１にはスプリング１４５による上下方向の力が常に作用していることになるので、経時変化により上側ケース１１１と下側ケース１１４との突合わせ面に隙間が生じる恐れがあった。
特開２００２−３１４６６５号公報には、バネ付勢したシーソー片を設けて、このシーソー片により接片を駆動する技術が開示されているが、この場合もバネにより上側ケースと下側ケースが開く恐れがある。
【０００３】
【特許文献１】特開２００２−３１４６６５号公報
【発明の開示】
【発明が解決しようとする課題】
【０００４】
本発明は上記技術的課題に鑑みて、充電器の上側ケースと下側ケースとの突合わせ面に隙間が生じるのを防止した電子機器用の充電器の提供を目的とする。
【課題を解決するための手段】
【０００５】
本発明の技術的要旨は、電子機器の充電器において、充電器ケースを上側ケースと下側ケースとで構成し、上側ケースには、充電端子突出口と操作釦突出口とを形成し、充電器ケース内に、充電端子が上側ケースの充電端子突出口に向けて突出方向にバネ付勢されて備え、充電端子突出方向のバネ付勢に対抗してスライドレバーの先端がこの充電端子を充電器ケース内に押し込む方向にスライドレバーを略水平方向にバネ付勢して備え、上側ケースの操作釦突出口から突出している操作釦を押圧し、スライドレバーを略水平方向に後退させると、充電端子の押し込み力が解除され、充電端子の先端部が上側ケースの充電端子突出口外側に突出するようにし、上側ケースと下側ケースとが上下に開く方向の作用力が生じないようにしたことを特徴とする。
【０００６】
また、操作釦が、突出部と、突出部より下方向にフック部とを備え、突出部の上下動作がフック部の横方向動作に変換するように回動軸を設けて充電器ケース内に軸支し、フック部の横方向動作にスライドレバーの略水平方向の動きを連動させるとよい。
【０００７】
ここで、充電器ケースを上側ケースと下側ケースとで構成しとは、充電器ケース内に基板や部品を組み込むために上側ケースと下側ケースとに分割した趣旨である。
従って、上側ケースとは充電する電子機器を装着するための装着面を有する側の分割ケースをいう。
よって、電子機器を立て置きにして装着充電する場合にあっては、上側ケースとは立て置きの装着面側の分割ケースをいう。
【０００８】
また、上側ケースに充電端子突出口と、操作釦突出口とを形成した趣旨は、充電器に携帯電話機等を装着しない状態では充電端子がケース内に没入していて、携帯電話機等を充電器に装着する際に、操作釦突出口から突出している操作釦の突出部が携帯電話機等の本体ケース部に押圧されると、上側ケースの充電端子突出口から充電端子の先端が外側に突出して、携帯電話機等の受電端子に当接するようにするための充電端子突出口と操作釦突出口を形成した趣旨をいう。
従って、充電端子突出口と操作釦突出口とは必ずしも上側ケースの同一面に形成する必要はなく、例えば充電端子が略水平方向に移動し、操作釦が上下方向に押圧移動する構成であってもよい。
【０００９】
スライドレバーを略水平方向にバネ付勢して備えとは、充電器ケースが上下方向に上側ケースと下側ケースに分割した場合に対して、略水平方向にバネ付勢した趣旨である。
従って、充電器の上側ケースと下側ケースの突合わせ面が開かない方向にスライドレバーがバネ付勢されていれば良い。
また、フック部の横方向動作にスライドレバーの略水平方向の動きを連動させるとは、操作釦の突出部が押圧されることによるフック部の横方向の動きにより、スライドレバーが後退移動するように当接又は連結していることをいう。
【発明の効果】
【００１０】
本発明に係る電子機器用充電器においては、充電端子をケース内に没入するためのスライドレバーを略水平方向にバネ付勢したので、バネ材の反発力は上側ケースと下側ケースとが開かない方向であり、上側ケースと下側ケースとの間に隙間が生じるのを防止でき充電器の長期使用が期待できる。
これにより、長期間使用した場合においても充電性能を持続できる。
【発明を実施するための最良の形態】
【００１１】
本発明に係る電子機器用充電器１０を携帯電話機の充電器に適用した実施例を図１に示す。
充電器上側ケース１１には充電端子突出口１６と操作釦突出口１７を形成し、操作釦突出口１７からは釦突出部３１が突出している。
携帯電話機は装着面１１ａに向けて、一端を爪１１ｂに引っ掛け、他端をフック１１ｃに係止することで充電器１０に装着する。
充電器の内部構造を図２（図１のＡ−Ａ線断面図）、図３の分解図を用いて説明する。
図２は（イ）が携帯電話機を装着していない状態を示し、（ロ）は携帯電話機の装着進行状態を示し、（ハ）は充電のため携帯電話機１を装着した状態を示している。
図２（イ）に示すように、充電器上ケース１１内部には充電端子突出口１６に臨むように充電端子２１が回路基板５０上に取り付けられ、操作釦突出口１７に臨むように操作釦３０が上ケース内壁１２に取り付けられている。
【００１２】
スライドレバー４０は、図３に示すように腹部に枠状のスプリングホルダ４４を形成し、スライドレバースプリング４５を図２（イ）に示すように取り付けている。
このスライドレバースプリング４５は一端を係止突起４４ａに嵌め込み、他端を上側ケース１１に設けた係止リブ１３に突き当てている。
図２に示すように、スライドレバー４０は充電端子２１側方向にスライドレバースプリング４５でバネ付勢されている。
スライドレバー４０の先端側には押圧部４１を形成し、後端側には連結アーム４２を形成している。
回路基板５０には切り欠き部５０ａを設けてスプリングホルダ４４を配設する。
スライドレバー４０は、上側ケース１１及び下側ケース１４に適宜設けられているガイド片１５により充電端子２１と操作釦３０間をスライド可能にケースに取り付ける。
【００１３】
回路基板５０にはトーションバネ２０が取り付けられ、このトーションバネの一端が充電端子２１となっていて、コイル部と充電端子２１の間にスライドレバー押圧部の先端部４１ａが当接する作用部２２を形成している。
これにより、図２（イ）のようにスライドレバー４０がスライドレバースプリング４５のバネ付勢により前進移動し、押圧部先端部４１ａが作用部２２に当接して充電端子２１の先端部２１ａを押し下げる。
【００１４】
操作釦３０は釦突出部３１と釦フック部３２を形成し、回動軸３３を支点にスイング動作可能にケース内側に取り付けられている。
ここで釦フック部３２はスライドレバー４０の後端側に形成した連結アーム４２の係合片４２ａに当接している。
これにより、釦フック部３２は、スライドレバー４０が充電端子２１側にバネ付勢されていることから、操作釦３０の突出部３１が上側ケースの外側に突出する方向にバネ付勢される。
この釦突出部３１は、図２（ロ）に示すように携帯電話機１を装着する際に携帯電話機ケース２により押圧される。
携帯電話機１の押込に伴い釦突出部３１が下方向に押圧されると、釦フック部３２がスライドレバー４０の係合片４２ａを押圧し、スライドレバー４０が後退移動する。
すると、スライドレバー押圧部４１の先端部４１ａが作用部２２から離れ、充電端子先端２１ａは電端子突出口１６より突出して、携帯電話機１の受電端子３に当接する。
【００１５】
一方、携帯電話機１を取り外すと、釦突出部３１の押圧が解除されるためスライドレバー４０は充電端子２１側へ前進し、図２（イ）に示す状態となる。
この時、押圧部４１は、作用部２２に当たり、充電端子先端部２１ａがケース内に収納される。
一方、回転釦３０はスライドレバー４０のバネ付勢により回動し、釦突出部３１が復帰動作して操作釦突出口１７より突出する。
【図面の簡単な説明】
【００１６】
【図１】本発明に係る充電器の斜視図を示す。
【図２】本発明に係る充電器のＡ−Ａ線断面図で、（イ）は携帯電話機を装着していない状態を示し、（ロ）は携帯電話機の装着進行状態を示し、（ハ）は携帯電話機を装着完了した状態を示す。
【図３】充電器の分解斜視図を示す。
【図４】充電器の従来例を示す。
【符号の説明】
【００１７】
１      携帯電話機（電子機器）
２      携帯電話機ケース
３      携帯電話機受電端子（電子機器受電端子）
１０    携帯電話機用充電器（電子機器用充電器）
１１    充電器上側ケース
１１ａ  携帯電話機装着面
１１ｂ  爪
１１ｃ  フック
１２    上側ケース内壁
１３    係止リブ
１４    充電器下側ケース
１５    ガイド片
１６    充電端子突出口
１７    操作釦突出口
２０    トーションバネ
２１    充電端子
２１ａ  充電端子の先端部
２２    充電端子の作用部
３０    操作釦
３１    釦突出部
３２    釦フック部
３３    回動軸
４０    スライドレバー
４１    スライドレバー押圧部
４１ａ  スライドレバー押圧部先端部
４２    スライドレバー連結アーム
４２ａ  係合片
４４    スライドレバースプリングホルダ
４４ａ  係止突起
４５    スライドレバースプリング
５０    回路基板
５０ａ  回路基板切り欠き部
【図１】
2005278252.tif 000003
【図２】
2005278252.tif 000004
【図３】
2005278252.tif 000005
【図４】
2005278252.tif 000006